(57)【要約】【課題】雨水桝内に設置することにより雨水とともに桝内に流入した枝、落ち葉、土砂等の流入物を取付管にスムーズに排出することができ、流入物が堆積することを抑制できる雨水桝用インバート装置を提供すること。【解決手段】雨水桝に接続された取付管の管口に挿入される挿入部１１と、雨水桝内に設置され、挿入部１１に連続して、その表面１２ａが略半円筒状凹面に形成された導水溝１２とを有する雨水桝用インバート装置である。導水溝１２の表面１２ａは、挿入部１１に向けて下り傾斜するとともに溝幅が狭くなるように形成され、少なくとも挿入部１１に連続する位置における導水溝１２の両上端は、前記取付管の中心点を通る水平線よりも上方に位置している。【選択図】図１
2014201951.tif 000002
【特許請求の範囲】
【請求項１】
雨水桝に接続された取付管の管口に挿入される挿入部と、雨水桝内に設置され、前記挿入部に連続して、その表面が略半円筒状凹面に形成された導水溝とを有する雨水桝用インバート装置であって、
前記導水溝の表面は、前記挿入部に向けて下り傾斜するとともに溝幅が狭くなるように形成され、
少なくとも前記挿入部に連続する位置における導水溝の両上端が、前記取付管の中心点を通る水平線よりも上方に位置していることを特徴とする雨水桝用インバート装置。
【請求項２】
前記導水溝の両上端のうち少なくとも何れか一方の上端は、前記挿入部に向けて下り傾斜していることを特徴とする請求項１に記載の雨水桝用インバート装置。
【請求項３】
前記導水溝の周囲に、前記導水溝に向けて下り傾斜するガイド板を設けた請求項１または請求項２に記載の雨水桝用インバート装置。
【請求項４】
前記ガイド板は、前記導水溝の両上端にそれぞれ連続するように設けられた第１のガイド板と、前記導水溝の両上端を跨ぐように設けられた第２のガイド板とからなり、少なくともいずれか一つのガイド板は、前記導水溝に対して折り畳み可能に取り付けられている請求項３に記載の雨水桝用インバート装置。
【請求項５】
前記導水溝の高さを調整する高さ調整部材を、前記導水溝の裏面側に設けた請求項１乃至請求項４のいずれか１項に記載の雨水桝用インバート装置。
【請求項６】
前記挿入部に、有害生物の防除または忌避のための薬剤を配置した請求項１乃至請求項５のいずれか１項に記載の雨水桝用インバート装置。
【発明の詳細な説明】
【技術分野】
【０００１】
本発明は、道路の路肩などに設けられ、取付管を介して雨水本管や下水道管渠に連通する雨水桝内に設置して使用するインバート装置に関する。
【背景技術】
【０００２】
道路の路肩などには、雨水を集水するため雨水桝が設けられている。この雨水桝はコンクリート製の略直方体の内部に空間を形成し、雨水本管や下水道管渠に連通する取付管が接続されるとともに、上部に格子状のグレーチングふたを設置したものが一般的であり、降雨時に雨水が滞留しないように、この雨水桝から取付管を経由して雨水本管や下水道管渠に送水して、河川や処理場に排水するようにしている（例えば、特許文献１の図１）。
【０００３】
かかる雨水桝には、雨水と一緒に、枝、落ち葉、土砂等（以下「流入物」という。）が流入してくるため、従来、取付管の接続部を雨水桝の底部よりも高い位置に設け、雨水に含まれる流入物を底部に堆積させるように構成されている。
【０００４】
ところが、雨水桝の底部に流入物が過剰に堆積すると、雨水桝の取付管の管口を塞ぎ、下水道管渠等への排水の障害となり、降雨時に道路が冠水する原因となるうえ、悪臭の発生原因ともなり、また、ゴキブリやネズミ等の有害生物の活動および繁殖を助長することになる。そのため、これらの堆積物の排除作業を適切な時期に行わねばならず、従来、バキュームカーで吸い上げて処理したり、作業員がスコップ等を用いて人力で取り出して処理している。
【０００５】
しかしながら、バキュームカーによる排除作業は作業負荷が大きく、また、コストもかかり、バキュームカーの保有台数にも限度があるため、作業の実施頻度は限られ、処理が不十分になるという問題があった。一方、特許文献２には、人力で取り出して処理する作業の負荷を低減することを目的に、侵入固体除去用の水切り収納具を着脱可能に備えた雨水桝が提案されているが、この雨水桝であっても依然として作業負荷は大きく、多数の作業員が必要となることから、排除作業の実施頻度は限られ、処理が不十分になるという問題があった。
【先行技術文献】
【特許文献】
【０００６】
【特許文献１】特開２００７−１２６９５８号公報
【特許文献２】特開平８−２９６２７１号公報
【発明の概要】
【発明が解決しようとする課題】
【０００７】
本発明が解決しようとする課題は、雨水桝内に設置することにより雨水とともに桝内に流入した流入物を取付管にスムーズに排出することができ、流入物が堆積することを抑制できる雨水桝用インバート装置を提供することにある。
【課題を解決するための手段】
【０００８】
本発明の雨水桝用インバート装置（以下、単に「インバート装置」という。）は、雨水桝に接続された取付管の管口に挿入される挿入部と、雨水桝内に設置され、前記挿入部に連続して、その表面が略半円筒状凹面に形成された導水溝とを有するインバート装置であって、前記導水溝の表面は、前記挿入部に向けて下り傾斜するとともに溝幅が狭くなるように形成され、少なくとも前記挿入部に連続する位置における導水溝の両上端が、前記取付管の中心点を通る水平線よりも上方に位置していることを特徴とする。
【０００９】
このような構成とすることで、雨水桝内に雨水とともに流入した流入物が、導水溝の表面で勢いを増して取付管へ排出されるため、流入物が雨水桝内に過剰に堆積して取付管の管口を塞ぐことがなく、降雨時の道路の冠水を防止することができる。また、少なくとも挿入部に連続する位置における導水溝の両上端が取付管の中心点を通る水平線よりも上方に位置している、すなわち導水溝の両上端が導水溝の表面を覆うように立ち上がっていることから、雨水とともに流入した流入物は導水溝から挿入部にスムーズに排出される。
【００１０】
本発明では、導水溝の両上端のうち少なくとも何れか一方の上端は、挿入部に向けて下り傾斜していることが好ましい。このような構成とすることで、例えば棒状の枝が導水溝の両上端を差し渡すように雨水桝内に流入してきた場合でも、導水溝における少なくとも何れか一方の上端は、挿入部に向けて下り傾斜するように形成されているので、枝の端部のいずれか一方が挿入部側に向きを変えて落下し、導水溝の表面を流れるようになり、取付管の管口に引っかかることを防止できる。
【００１１】
本発明では、導水溝の周囲に、導水溝に向けて下り傾斜するガイド板を設けることが好ましい。ガイド板により、雨水とともに流入した流入物がスムーズに導水溝に案内される。
【００１２】
このガイド板は、導水溝の両上端にそれぞれ連続するように設けられた第１のガイド板と、導水溝の両上端を跨ぐように設けられた第２のガイド板とから構成することができる。そして、これらのガイド板の少なくとも一つは、導水溝に対して折り畳み可能に取り付けることが好ましい。このようにガイド板を折り畳み可能、例えばヒンジにより導水溝の端部に対して回転自在に取り付けることで、雨水桝の内壁面にガイド板を立てかけることにより、その内壁面とインバート装置との間に隙間が生じないようにすることができ、雨水等を導水溝に効率良く導くことができるとともに、内寸の異なる雨水桝についてもガイド板の傾斜角度を変えることにより、対応可能となる。また、ガイド板を折り畳んで小さくすることにより、雨水桝内への設置が容易であるとともに、運搬時の持ち運びがしやすくなる。
【００１３】
さらに本発明では、導水溝の高さを調整する高さ調整部材を、前記導水溝の裏面側に設けることが好ましい。この高さ調整部材により、取付管管口の接続位置にあわせて、導水溝の高さを調整して設置できる。
【００１４】
また本発明では、取付管の管口に挿入される挿入部に、有害生物の防除または忌避のための薬剤を配置することもできる。このような構成とすることで、雨水桝周辺の衛生環境を改善することができる。
【発明の効果】
【００１５】
本発明によれば、雨水桝内に設置することにより、雨水とともに桝内に流入した流入物を取付管にスムーズに排出することができ、流入物が堆積することを抑制できる。したがって、堆積物の排除作業の頻度を大幅に低減することが可能となり、管理者および作業者の負担を軽減できる。
【図面の簡単な説明】
【００１６】
【図１】本発明のインバート装置の一実施例を示す斜視図である。
【図２】図１のインバート装置を異なる方向から見た斜視図である。
【図３】図２のＡ−Ａ断面図である。
【図４】図１のインバート装置を雨水桝に設置した状況を上方から見た概略斜視図である。
【図５】本発明のインバート装置の設置状況を概念的に示す縦方向端面図である。
【図６】本発明のインバート装置の他の実施例を示す斜視図である。
【図７】図６のインバート装置を異なる方向から見た斜視図である。
【発明を実施するための形態】
【００１７】
以下、図面に示す実施例に基づき本発明の実施の形態を説明する。
【実施例】
【００１８】
［実施例１］
図１および図２は本発明のインバート装置の一実施例を示す斜視図、図３は図２のＡ−Ａ断面図、図４はこのインバート装置を雨水桝に設置した状況を上方から見た概略斜視図、図５はインバート装置の設置状況を概念的に示す縦方向端面図である。
【００１９】
インバート装置１０は、図５に示すように雨水桝２０内に設置されて使用される。雨水桝２０には円形取付管２１が接続されており、雨水桝２０内に流入した雨水および雨水ととともに流入した流入物は、インバート装置１０に案内されて円形取付管２１へ排出される。円形取付管２１は図５では合流式の下水道管渠２２に接続されており、雨水桝２０から排出された雨水等は円形取付管２１を介して下水道管渠２２に送られる。
【００２０】
図１および図２を参照すると、インバート装置１０は、図５に示した円形取付管２１の管口に挿入される挿入部１１と、この挿入部１１に連続して形成された導水溝１２とを有する。挿入部１１は略半円筒状であり、この挿入部１１には必要に応じて有害生物の防除または忌避のための薬剤を配置することができる。薬剤を配置する場合、挿入部１１の形状は円筒状であることが好ましいが、特に限定されるものではない。
【００２１】
導水溝１２の表面１２ａは略半円筒状凹面に形成されており、導水溝１２の表面１２ａは挿入部１１に向けて下り傾斜するとともに溝幅が漸次狭くなるように形成されている。また、図３に明確に表れているように、導水溝１２は、挿入部１１に連続する位置における両上端が円形取付管２１の中心点を通る水平線Ｈよりも上方に位置するように形成されている。本実施例では、導水溝１２に全長にわたってその両上端１２ｂ、１２ｂが円形取付管２１の中心点を通る水平線Ｈよりも上方に位置するように形成されているとともに、挿入部１１に向けて下り傾斜するように形成されている。また、導水溝１２の挿入部１１近傍には、インバート装置１０を雨水桝２０内に設置する際に使用する吊り下げ治具の先端を装着できるように一対の治具装着孔１３が設けられている。
【００２２】
導水溝１２の周囲に、当該導水溝１２に向けて下り傾斜する第１のガイド板１４および第２のガイド板１５が設けられている。第１のガイド板１４は導水溝１２の両上端１２ｂ、１２ｂに導水方向に沿ってそれぞれ連続するように設けられている。これら第１のガイド板１４において導水溝１２の両上端１２ｂ、１２ｂとの連続部分は、第２のガイド板１５を設置するために平面部１４ａとされている。このように第１のガイド板１４は平面部１４ａを含むが、全体として導水溝１２に向けて下り傾斜している。なお、本発明でいう「下り傾斜する」とは、このように一部に平面部を含むが全体として下り傾斜していることを含み、また、インバート装置１０を雨水桝２０内に設置した状態において傾斜していることを含む概念である。
【００２３】
第１のガイド板１４に連続して、第１のガイド板１４に向けて下り傾斜する補助ガイド板１６が設けられている。この補助ガイド板１６は、第１のガイド板１４の挿入部１１側において立ち上がるように設けられている。
【００２４】
第２のガイド板１５は、導水溝１２の基端側（上流側）においてその両上端１２ｂ、１２ｂを跨ぐように設けられている。本実施例において第２のガイド板１５は、第１のガイド板１４の平面部１４ａに取り付けたヒンジ１７により回動自在に取り付けられており、導水溝１２に対して折り畳み可能となっている。
【００２５】
図１に表れているように、導水溝１２の裏面側１２ｃに、導水溝１２の高さを調整する高さ調整部材１８が設けられている。高さ調整部材１８としては、ねじ機構などの周知の高さ調整機構を採用できる。本実施例では、導水溝１２の裏面側１２ｃに高ナット１８ａを溶接し、その高ナット１８ａにボルト１８ｂを螺合することで、高さ調整部材１８を構成している。
【００２６】
以上の本実施例の構成において、第２のガイド板１５および高さ調整部材１８以外の構成は、ステンレス鋼板を折り曲げて形成している。なお、本実施例では、第２のガイド板１５を折り畳み可能としたが、一対の第１のガイド板１４の両方または少なくとも一方を折り畳み可能とすることもできる。
【００２７】
次に、インバート装置１０を雨水桝２０内に設置する方法を説明する。雨水桝２０は地中に埋設されているので、その内部にインバート装置１０を設置するには吊り下げ治具を使用すると便利である。本実施例では、導水溝１２の挿入部１１近傍に一対の治具装着孔１３を設けているので、この治具装着孔１３に先端がＴ字状の吊り下げ治具（図示なし）の先端を装着する。一方、第２のガイド板１５を導水溝１２側に折り畳んだ状態とした上で、先端がフック状の他の吊り下げ治具の先端を折り畳んだ第２のガイド板１５に引っ掛ける。そして、これら２本の吊り下げ治具でインバート装置１０を吊り下げて雨水桝２０内に挿入し、その挿入部１１を円形取付管２１の管口に挿入した上で、インバート装置１０を雨水桝２０内に載置する。その後、折り畳んだ第２のガイド板１５を雨水桝２０の内壁面に立てかけるように展開すると設置が完了する。なお、導水溝１２の高さは、設置する雨水桝１０の円形取付管２１管口の接続位置に合わせてあらかじめ高さ調整部材１８で調整しておく。
【００２８】
本実施例では、第２のガイド板１５を折り畳み可能としていることから、上述のとおり第２のガイド板１５を折り畳んだ状態でインバート装置１０を雨水桝２０内に挿入できるので、設置作業が容易であり、運搬時の持ち運びも容易である。また、第２のガイド板１５を展開するときは雨水桝２０の内寸が異なっていても、その展開角度を変えることにより対応可能である。さらに、第２のガイド板１５は展開後、雨水桝２０の内壁面に立てかけることにより、その内壁面とインバート装置１０との間に隙間が生じないようにすることができ、雨水等を導水溝１２に効率良く導くことができる。なお、この第２のガイド板１５を折り畳み可能としたことによる効果は、第１のガイド板１４を折り畳み可能とすることによっても同様に奏することができる。
【００２９】
設置後のインバート装置１０の作用は次のとおりである。
【００３０】
雨水桝２０内に雨水および雨水とともに流入物が流入すると、これら雨水等は導水溝１２に向けて下り傾斜する第１のガイド板１４および第２のガイド板１５に案内されて導水溝１２に流入する。導水溝１２の表面１２ａは挿入部１１に向けて下り傾斜しているので、雨水等は挿入部１１に向けて流れ、円形取付管２１に排出される。このとき、導水溝１２の表面１２ａは、挿入部１１に向けて溝幅が狭くなるように形成されているので、雨水等が導水溝１２の表面１２ａで勢いを増して円形取付管２１へ排出されるため、流入物が雨水桝２０内に過剰に堆積して円形取付管２１の管口を塞ぐことがなく、降雨時の道路の冠水を防止することができる。また、導水溝１２の上端１２ｂは、挿入部１１に向けて下り傾斜するように形成されているので、例えば棒状の枝が横向きに落ちてきたとしても、導水溝１２による案内効果で向きが変わって縦向きになり導水溝１２の表面１２ａを流れるようになる。したがって、その枝が導水溝１２の両上端１２ｂ、１２ｂを差し渡すように円形取付管２１の管口に引っかかることを防止できる。
【００３１】
さらに、図３で説明したように、導水溝１２の少なくとも挿入部１１側の両上端１２ｂ、１２ｂは円形取付管２１の中心点を通る水平線Ｈよりも上方に位置している、すなわち導水溝１２の両上端１２ｂ、１２ｂが導水溝１２の表面１２ａを覆うように立ち上がっていることから、雨水とともに流入した流入物は導水溝１２から挿入部１１にスムーズに排出される。
【００３２】
また、本実施例では、上述のとおり、第１のガイド板１４に連続して第１のガイド板１４に向けて下り傾斜する補助ガイド板１６を設けており、しかも補助ガイド板１６は第１のガイド板１４の挿入部１１側において立ち上がるように設けている。したがって、第１のガイド板１４上を挿入部１１側に向けて流れる雨水等は補助ガイド板１６で止められ、再び第１のガイド板１４上に戻り、導水溝１２に向けて案内される。これにより、雨水等はもれなく導水溝１２に流入する。
【００３３】
以上のとおり、本実施例のインバート装置１０によれば、雨水桝２０内に雨水および雨水とともに流入した流入物を円形取付管２１にスムーズに排出することができ、流入物が堆積することを抑制できる。
【００３４】
［実施例２］
図６および図７は本発明のインバート装置の他の実施例を示す斜視図である。図６および図７において先の実施例１と同一の構成には同一の符号を付し、その説明は省略する。
【００３５】
本実施例のインバート装置３０は、積み重ねることができ、運搬がし易く、保管スペースを小さくすることができるよう、先の実施例１のインバート装置１０を簡易にしたものである。すなわち本実施例のインバート装置３０は、先の実施例１のインバート装置１０における第２のガイド板１５および高さ調整部材１８を省略したものである。なお、第２のガイド板１５を省略したことから、本実施例における第１のガイド板１４には先の実施例１のような平面部１４ａは不要なため設けていない。
【００３６】
本実施例のインバート装置３０は高さ調整部材１８を備えていないが、雨水桝２０内に設置する際には、導水溝１３の基端側を雨水桝２０の内壁面に立てかけることにより、所定の傾斜をもってインバート装置３０を雨水桝２０内に設置することができる。
【００３７】
インバート装置３０を雨水桝２０内に設置するにあたっては、先の実施例１のインバート装置１０では、上述のとおり、治具装着孔１３に先端がＴ字状の吊り下げ治具の先端を装着するとともに第２のガイド板１５を導水溝１２側に折り畳んだ状態とした上で、先端がフック状の他の吊り下げ治具の先端を折り畳んだ第２のガイド板１５に引っ掛けるようにしたが、本実施例のインバート装置３０は第２のガイド板１５を備えていないので、その代わりに導水溝１２の基端側に一対の治具装着孔１９を追加で設けている。すなわち本実施例のインバート装置３０を雨水桝２０内に設置するときは、治具装着孔１３および治具装着孔１９にそれぞれ先端がＴ字状の吊り下げ治具の先端を装着し、この２本の吊り下げ治具によりインバート装置３０を吊り下げて、雨水桝２０内に挿入し設置する。なお、本実施例のインバート装置３０は、挿入部１１の下端先端部からさらに伸びる着座部１１ａを有しており、この着座部１１ａが円形取付管２１の内周面下端部に着座することで、インバート装置３０が雨水桝２０内で安定する。
【００３８】
本実施例のインバート装置３０も先の実施例１のインバート装置１０と同様に導水溝１２を有することから、雨水桝２０内に、雨水とともに流入した流入物を円形取付管２１にスムーズに排出することができ、流入物が堆積することを抑制できる。
【００３９】
なお、雨水桝２０に接続された取付管は、上記各実施例に記載した円形取付管２１に限定されるものではなく、角形の取付管の場合であっても同様に使用可能である。
【符号の説明】
【００４０】
１０，３０  雨水桝用インバート装置
１１  挿入部
１１ａ  着座部
１２  導水溝
１２ａ  表面
１２ｂ  上端
１２ｃ  裏面
１３  治具装着孔
１４  第１のガイド板
１４ａ  平面部
１５  第２のガイド板
１６  補助ガイド板
１７  ヒンジ
１８  高さ調整部材
１８ａ  高ナット
１８ｂ  ボルト
１９  治具装着孔
【図１】
2014201951.tif 000003
【図２】
2014201951.tif 000004
【図３】
2014201951.tif 000005
【図４】
2014201951.tif 000006
【図５】
2014201951.tif 000007
【図６】
2014201951.tif 000008
【図７】
2014201951.tif 000009